(57)【要約】【課題】  耳飾り側の構造に何等影響を与えず、装飾性を損ねるようなことがなく、使用し易く、既に市場に出回っているあらゆるタイプのものに対しても適用でき、脱落を確実に防止できる耳飾り脱落防止部材を提供すること。【解決手段】  脱落防止部材は耳部の裏側において挟持部材の外側より耳部に貼り付けられる粘着シートであり、粘着シートは挟持部材に接着される挟持部接着部と、該挟持部接着部の左右両側に夫々張り出され耳部に貼り付けられる耳部接着部とからなり、粘着シートには予め台紙が貼り付けら、該台紙は挟持部接着部に予め貼り付けられている中央台紙部と、該中央台紙部の両側に独立して設けられ左右の耳部接着部に予め貼り付けられている左右台紙部とから構成されているもの。【選択図】  図１
2006129904.tif 000002
【特許請求の範囲】
【請求項１】
挟持部材によって耳部を挟み込むようにして取り付けられる耳飾りの脱落を防止する耳飾り脱落防止部材において、
上記脱落防止部材は耳部の裏側において上記挟持部材の外側より耳部に貼り付けられる粘着シートであり、
上記粘着シートは上記挟持部材に接着される挟持部接着部と、該挟持部接着部の左右両側にそれぞれ張り出され耳部に貼り付けられる耳部接着部とからなり、
上記粘着シートには予め台紙が貼り付けられていて、該台紙は上記挟持部接着部に予め貼り付けられている中央台紙部と、該中央台紙部の両側に独立して設けられ上記左右の耳部接着部に予め貼り付けられている左右台紙部とから構成されていることを特徴とする耳飾り脱落防止部材。
【請求項２】
請求項１記載の耳飾り脱落防止部材において、
上記左右台紙部は左右の耳部接着部の大きさに対して大きく形成されていてその一部が掴み代として張り出されていることを特徴とする耳飾り脱落防止部材。
【請求項３】
請求項１又は請求項２記載の耳飾り脱落防止部材において、
上記中央台紙部は上記挟持部接着部の大きさに対して大きく形成されていてその一部が掴み代として張り出されていることを特徴とする耳飾り脱落防止部材。
【請求項４】
請求項１〜請求項３の何れかに記載の耳飾り脱落防止部材において、
上記粘着シートの粘着面側であって上記挟持部接着部と左右両側の耳部接着部との間には切込部が設けられていることを特徴とする耳飾り脱落防止部材。
【請求項５】
ピンの先端に装飾部を備え該ピンを耳部に穿孔された孔内に差し込んで固定具で固定する耳飾りの脱落を防止する耳飾り脱落防止部材において、
上記脱落防止部材は上記固定具の裏側より耳部に貼り付けられる粘着シートであり、
上記粘着シートは固定具に接着されると共に上記ピンが貫通する貫通孔を備えた固定具接着部と、該固定具接着部の左右両側にそれぞれ張り出され耳部に貼り付けられる耳部接着部とからなり、
上記粘着シートには予め台紙が貼り付けられていて、該台紙は上記固定具接着部に予め貼り付けられていると共に上記ピンが貫通する貫通孔を備えた中央台紙部と、該中央台紙部の両側に独立して設けられ上記左右の耳部接着部に予め貼り付けられている左右台紙部とから構成されていること特徴とする耳飾り脱落防止部材。
【請求項６】
請求項５記載の耳飾り脱落防止部材において、
上記左右台紙部は左右の耳部接着部の大きさに対して大きく形成されていてその一部が掴み代として張り出されていることを特徴とする耳飾り脱落防止部材。    
【請求項７】
請求項５又は請求項６記載の耳飾り脱落防止部材において、
上記中央台紙部は上記固定具接着部の大きさに対して大きく形成されていてその一部が掴み代として張り出されていることを特徴とする耳飾り脱落防止部材。
【請求項８】
請求項５〜請求項７の何れかに記載の耳飾り脱落防止部材において、
上記粘着シートの粘着面側であって固定具接着部と左右両側の耳部接着部との間には切込部が設けられていることを特徴とする耳飾り脱落防止部材。
【発明の詳細な説明】
【技術分野】
【０００１】
本発明は、例えば、イヤリング、ピアス等の耳飾りが耳部から不用意に脱落することを防止するための耳飾り脱落防止部材に係り、特に、耳飾り側の構造に影響を与えることなく、使用し易く、既に市場に出回っているあらゆるものに対して適用でき、且つ、脱落を確実に防止することができると共に、装着作業の作業性を向上させることができるように工夫したものに関する。
【背景技術】
【０００２】
耳飾り、例えば、イヤリングの脱落を防止するための構成を開示したものとして、例えば、特許文献１、特許文献２がある。
【０００３】
【特許文献１】実開昭５５−１５３９２０号公報
【特許文献２】実開平３−６４０１１号公報
【０００４】
この内、実開昭５５−１５３９２０号公報に示すものは、磁石同士の吸着を利用して脱落防止を図るものである。
又、実開平−６４０１１号公報に示すものは、粘着パットを使用して脱落防止を図るものである。
【発明の開示】
【発明が解決しようとする課題】
【０００５】
上記従来の構成によると次のような問題があった。
まず、実開昭５５−１５３９２０号公報に開示されているものは磁石同士の吸着を利用したものであるが、この場合には、イヤリング側に一対の磁石片を埋め込んでおく必要があり、そのため、イヤリングが不必要に大型化してしまって、装飾性を著しく欠いてしまうという問題があった。又、この場合には、既に購入された耳飾りに対しては適用することができないという問題もあった。
又、上記実開平３−６４０１１号公報に開示されているものは、粘着パットを使用するものであるが、この場合には、取付時に粘着パットに捻れが生じてしまい、そのため、粘着パットが外れたりその位置がずれてしまうという問題があった。この場合には、粘着効果が低下してしまうことになり所期の目的を達成できないことになってしまう。
又、粘着パットを配置することにより間隔が狭められてしまうことになり、それを耳部に差し込もうとすれば、粘着パットが耳部に引っ掛かってしまい、その位置がずれたり脱落してしまうことになってしまい、結局、良好な状態で取り付けることができなくなってしまうことが予想される。
【０００６】
本件特許出願人は、このような問題点に鑑みて、新たな耳飾り脱落防止部材に関する発明を既に提案している。これが特許文献３である。
【０００７】
【特許文献３】特開２００１−１６９８０９号公報
【０００８】
本発明はこのような点に基づいてなされたものでその目的とするところは、耳飾り側の構造に何等影響を与えることなく、装飾性を損ねるようなことがなく、又、使用し易く、又、既に市場に出回っているあらゆるタイプのものに対しても適用でき、且つ、脱落を確実に防止することを可能にすると共に、装着作業の作業性を向上させることができるように工夫した耳飾り脱落防止部材を提供することにある。
【課題を解決するための手段】
【０００９】
上記目的を達成するべく本願発明の請求項１による耳飾り脱落防止部材は、持部材によって耳部を挟み込むようにして取り付けられる耳飾りの脱落を防止する耳飾り脱落防止部材において、上記脱落防止部材は耳部の裏側において上記挟持部材の外側より耳部に貼り付けられる粘着シートであり、上記粘着シートは上記挟持部材に接着される挟持部接着部と、該挟持部接着部の左右両側にそれぞれ張り出され耳部に貼り付けられる耳部接着部とからなり、上記粘着シートには予め台紙が貼り付けられていて、該台紙は上記挟持部接着部に予め貼り付けられている中央台紙部と、該中央台紙部の両側に独立して設けられ上記左右の耳部接着部に予め貼り付けられている左右台紙部とから構成されていることを特徴とするものである。
又、請求項２による耳飾り脱落防止部材は、請求項１記載の耳飾り脱落防止部材において、上記左右台紙部は左右の耳部接着部の大きさに対して大きく形成されていてその一部が掴み代として張り出されていることを特徴とするものである。
又、請求項３による耳飾り脱落防止部材は、請求項１又は請求項２記載の耳飾り脱落防止部材において、上記中央台紙部は上記挟持部接着部の大きさに対して大きく形成されていてその一部が掴み代として張り出されていることを特徴とするものである。
又、請求項４による耳飾り脱落防止部材は、請求項１〜請求項３の何れかに記載の耳飾り脱落防止部材において、上記粘着シートの粘着面側であって上記挟持部接着部と左右両側の耳部接着部との間には切込部が設けられていることを特徴とするものである。
又、請求項５による耳飾り脱落防止部材は、ピンの先端に装飾部を備え該ピンを耳部に穿孔された孔内に差し込んで固定具で固定する耳飾りの脱落を防止する耳飾り脱落防止部材において、上記脱落防止部材は上記固定具の裏側より耳部に貼り付けられる粘着シートであり、上記粘着シートは固定具に接着されると共に上記ピンが貫通する貫通孔を備えた固定具接着部と、該固定具接着部の左右両側にそれぞれ張り出され耳部に貼り付けられる耳部接着部とからなり、上記粘着シートには予め台紙が貼り付けられていて、該台紙は上記固定具接着部に予め貼り付けられていると共に上記ピンが貫通する貫通孔を備えた中央台紙部と、該中央台紙部の両側に独立して設けられ上記左右の耳部接着部に予め貼り付けられている左右台紙部とから構成されていること特徴とするものである。
又、請求項６による耳飾り脱落防止部材は、請求項５記載の耳飾り脱落防止部材において、上記左右台紙部は左右の耳部接着部の大きさに対して大きく形成されていてその一部が掴み代として張り出されていることを特徴とするものである。    
又、請求項７による耳飾り脱落防止部材は、請求項５又は請求項６記載の耳飾り脱落防止部材において、上記中央台紙部は上記固定具接着部の大きさに対して大きく形成されていてその一部が掴み代として張り出されていることを特徴とするものである。
又、請求項８による耳飾り脱落防止部材は、請求項５〜請求項７の何れかに記載の耳飾り脱落防止部材において、上記粘着シートの粘着面側であって固定具接着部と左右両側の耳部接着部との間には切込部が設けられていることを特徴とするものである。
【発明の効果】
【００１０】
すなわち、本願発明による耳飾り脱落防止部材は、挟持部材によって耳部を挟み込むようにして取り付けられる耳飾りの脱落を防止する耳飾り脱落防止部材において、上記脱落防止部材は耳部の裏側において上記挟持部材の外側より耳部に貼り付けられる粘着シートであり、上記粘着シートは上記挟持部材に接着される挟持部接着部と、該挟持部接着部の左右両側にそれぞれ張り出され耳部に貼り付けられる耳部接着部とからなり、上記粘着シートには予め台紙が貼り付けられていて、該台紙は上記挟持部接着部に予め貼り付けられている中央台紙部と、該中央台紙部の両側に独立して設けられ上記左右の耳部接着部に予め貼り付けられている左右台紙部とから構成されているものであり、よって、中央台紙部のみを剥がして挟持部接着部を介して挟持部材に接着させ、その状態で耳飾りを耳部に取り付ける等の作業を行うことができ、位置が決まった状態で左右台紙部を剥がせばよく、耳部接着部が不用意に接着されてしまうようなことを防止することができる等作業性を大幅に向上させることができる。
又、上記左右台紙部を左右の耳部接着部の大きさに対して大きく形成してその一部を掴み代として張り出した場合には、左右台紙部の剥がし作業が容易になる。より具体的に説明すると、一連の作業を鏡を見ながら行なう場合、中央台紙部を剥がして粘着シートを耳飾りの挟持部材に貼った状態で耳飾りを耳部に取り付けた場合、左右台紙部の掴み代を耳たぶよりはみ出した状態で見ることができ、それによって、その後の作業、すなわち、掴み代を掴んでの左右台紙部の剥がし作業が容易になるものである。
又、上記中央台紙部を上記挟持部接着部の大きさに対して大きく形成してその一部を掴み代として張り出した場合には、中央台紙部の剥がし作業が容易になる。
又、上記粘着シートの粘着面側であって挟持部接着部と左右両側の耳部接着部との間に切込部を設けた場合には、該切込部を介して左右の耳部接着部を反耳側に折り曲げておくことができ、よって、耳への装着時に左右の耳部接着部が耳に干渉することを防止することができ、それによって、装着作業性が向上するものである。
又、請求項５による耳飾り脱落防止部材の場合には、ピンの先端に装飾部を備え該ピンを耳部に穿孔された孔内に差し込んで固定具で固定する耳飾りの脱落を防止する耳飾り脱落防止部材において、上記脱落防止部材は上記固定具の裏側より耳部に貼り付けられる粘着シートであり、上記粘着シートは固定具に接着されると共に上記ピンが貫通する貫通孔を備えた固定具接着部と、該固定具接着部の左右両側にそれぞれ張り出され耳部に貼り付けられる耳部接着部とからなり、上記粘着シートには予め台紙が貼り付けられていて、該台紙は上記固定具接着部に予め貼り付けられていると共に上記ピンが貫通する貫通孔を備えた中央台紙部と、該中央台紙部の両側に独立して設けられ上記左右の耳部接着部に予め貼り付けられている左右台紙部とから構成しているので、中央台紙部のみを剥がして挟持部接着部を介して固定具に接着させ、その状態で耳飾りを耳部に取り付ける等の作業を行うことができ、位置が決まった状態で左右台紙部を剥がせばよく、耳部接着部が不用意に接着されてしまうようなことを防止することができる等作業性を大幅に向上させることができる。
又、上記左右台紙部を左右の耳部接着部の大きさに対して大きく形成してその一部が掴み代として張り出した場合には、左右台紙部の剥がし作業が容易になる。より具体的に説明すると、一連の作業を鏡を見ながら行なう場合、中央台紙部を剥がして粘着シートを耳飾りの固定具に貼った状態で耳飾りを耳部に取り付けた場合、左右台紙部の掴み代を耳たぶよりはみ出した状態で見ることができ、それによって、その後の作業、すなわち、掴み代を掴んでの左右台紙部の剥がし作業が容易になるものである。
又、上記中央台紙部を上記固定具接着部の大きさに対して大きく形成してその一部を掴み代として張り出した場合には、中央台紙部の剥がし作業が容易になる。
又、上記粘着シートの粘着面側であって固定具接着部と左右両側の耳部接着部との間に切込部を設けた場合には、装着作業性が向上するものである。
【発明を実施するための最良の形態】
【００１１】
以下、図１乃至図１１を参照して本発明の第１の実施の形態を説明する。この第１の実施の形態は耳飾りとしてイヤリングを例に挙げて示すものである。
図５に示すように、まず、イヤリング１があり、このイヤリング１は、耳部３を下側から跨ぐような状態で取り付けられ略Ｕ字状をなす挟持具としての金具５と、この金具５の一方の側（耳部３の表側）に取り付けられた装飾部７と、金具５の他方の側（耳部３の裏側）に取り付けられた固定ねじ部材９とから構成されている。上記固定ねじ部材９は金具５の端に取り付けられたベース部材１１に対して螺合しており、その先端には押当部材１３が取り付けられている。
【００１２】
通常は、上記金具５を耳部３を下側から跨ぐようにして取り付け、その状態で固定ねじ部材９をねじ込んでいくことにより、押当部材１３が耳部３の裏側を押圧する状態となり、それによって、イヤリング１を耳部３に取付・固定するものである。
【００１３】
これに対して、本実施の形態の場合には、さらに粘着シートとしての粘着テープ１５を貼り付けて、その取付・固定状態をより確実なものとしている。上記粘着テープ１５の材質としては、薄い軟質テープ状のもの、薄いプラスチック製、シリコン製、ゴム製、ビニール製のもの、等様々なものが想定され、これを特に限定するものではない。
【００１４】
上記粘着テープ１５は、図１乃至図４に示すような構成になっている。まず、粘着テープ１５は、図１及び図３（ａ）に示すように、全体として、「蝶」を模した形状になっており、中央に設けられた挟持部接着部としての金具接着部１７と、この金具接着部１７の左右両側に設けられ、耳部３の裏側に接着される耳部接着部１９、２１とから構成されている。粘着テープ１５は上記金具接着部１７を介して、既に説明したイヤリング１の金具５に接着されることになる。
【００１５】
上記粘着テープ１５の裏面側、すなわち、接着面側には台紙３１が貼り付けられている。上記台紙３１は、上記金具接着部１７に貼り付けられた中央台紙部３３と、左右の耳部接着部１９、２１に接着された左右台紙部３５、３７とから構成されている。上記中央台紙部３３の図１中上端には掴み代３９が突出・形成されている。又、上記左右台紙部３５、３７の下端にも掴み代４１、４３が突出・形成されている。上記台紙３１の部分のみを抽出して図４に示す。
【００１６】
又、上記粘着テープ１５の粘着面側であって、金具接着部１７と左右の耳部接着部１９、２１との境界部には、図３（ｂ）に示すように、切込部４５、４７が設けられている。このような切込部４５、４７を設けるのは次のような理由による。すなわち、粘着テープ１５を金具接着部１７を介して金具５に接着させた後に、イヤリング１の耳３への装着作業を行なうことになる。その際、粘着テープ１５の左右の耳部接着部１９、２１(この段階では左右台紙部３５、３７も貼り付けられている)の部分が耳３と干渉して装着作業の邪魔になってしまうことが懸念される。そこで上記耳部接着部１９、２１の部分を上記切込部４５、４７を介して反耳３側に折り曲げて耳３への干渉をなくし、それによって、イヤリング１の耳３への装着作業の作業性を向上させようとするものである。
【００１７】
以上の構成を基にその作用を説明する。
まず、図１及び図２に示す状態において、中央台紙部３３を剥がす。そして、図５に示すように、粘着テープ１５の金具接着部１７をイヤリング１の金具５に貼り付ける。その状態を図６に示す。
【００１８】
次に、イヤリング１の固定ねじ部材９を緩めてベース部材１１と装飾部７との間に隙間を設ける。そして、図７に示すように、その隙間に耳３を挟み込むようにしてイヤリング１を取り付ける。その様子を図８、図９に順次示す。その際、粘着テープ１５の左右の耳部接着部１９、２１(左右の台紙部３５、３７が貼り付けられた状態)を切込部４５、４７を介して反耳３側に折り曲げておく。それによって、イヤリング１を耳３に装着する際に、上記耳部接着部１９、２１が耳３に干渉することを防止することができ、装着作業の作業性の向上を図ることができる。
【００１９】
次に、粘着テープ１５の左右の耳部接着部１９、２１に貼り付けられている左右台紙部３５、３７を剥がす作業を行う。すなわち、図９に示すように、左台紙部３５を掴んだ状態で右台紙部３７を剥がす。その場合には、掴み代４３を掴んで引っ張れば容易に剥がすことができる。右台紙部３７を剥がしたら耳部接着部２１を耳部３に貼り付ける。次に、図１０に示すように、残りの左台紙部３５を剥がす。この場合も掴み代４１を掴んで引っ張れば容易に剥がすことができる。左台紙部３５を剥がしたら耳部接着部１９を耳部３に接着する。
【００２０】
以上の作業を行うことにより図１１に示すような状態になる。粘着テープ１５が耳部接着部１９、２１を介して耳部３の裏側に貼り付けられた状態になっており、それによって、イヤリング１の不用意な脱落は確実に防止されることになる。
【００２１】
以上実施の形態によると次のような効果を奏することができる。
まず、イヤリング１の不用意な脱落を確実に防止することができる。これは粘着テープ１によって金具５を介してイヤリング１を耳部３に貼り付けるようにしているからである。
又、粘着テープ１５には台紙３１が貼り付けられていて、この台紙３１は、中央台紙部３３と左右台紙部３５、３７とから構成されていて、装着初期時には、中央台紙部３９のみを剥がして金具接着部１７を金具５に貼り付けて作業を行うようにしているので、例えば、耳部接着部１９、２１が耳部３に不用意に接着してしまって適切な接着状態が得られないといった事態の発生を防止することができる。
又、中央台紙部３３には掴み代３９が設けられているので、この掴み代３９を掴むことにより中央台紙部３３を容易に剥がすことができる。
又、左右台紙部３５、３７に関しても、掴み代４１、４３が設けられているので、左右台紙部３５、３７に関してもこれを容易に剥がすことができる。より具体的に説明すると、一連の作業を鏡を見ながら行なう場合、中央台紙部３３を剥がして粘着テープ１５をイヤリング１の金具５に貼った状態でイヤリング１を耳部３に取り付けた場合、左右台紙部３５、３７の掴み代４１、４３を耳たぶよりはみ出した状態で見ることができ、それによって、その後の作業、すなわち、掴み代４１、４３を掴んでの左右台紙部３５、３７の剥がし作業が容易になるものである。
又、粘着テープ１５には切込部４３、４５が設けられていて、耳３に装着する場合には、耳部接着部１９、２１を反耳３側に折り曲げておくことができ、よって、耳部接着部１９、２１が耳３に干渉して装着作業の邪魔になることを防止することができる。  
【００２２】
次に、図１２乃至図１８を参照して本発明の第２の実施の形態を説明する。この実施の形態の場合には本発明をいわゆるピアスに適用した例を示すものである。
まず、ピアス５１であるが、図１６に示すように、ピン５３があり、このピン５３の一端には装飾部５５が取り付けられている。上記ピン５３の他端を耳部に穿孔された孔内に挿入する。そして、耳部より突出した上記ピン５３の他端に固定具５７を取り付けることにより、ピアス５１を耳部３に固定するものである。
【００２３】
このようなピアス５１に対しても脱落防止用の粘着テープ６１が使用されるものである。上記粘着テープ６１は、図１２及び図１４（ａ）に示すような構成になっている。まず、粘着テープ６１は全体として、前記第１および第２の実施の形態の場合と同様に「蝶」を模した形状になっており、中央に設けられた金具接着部６３と、この金具接着部６３の左右両側に設けられ、耳部の裏側に接着される耳部接着部６５、６７とから構成されている。上記金具接着部６３は、前記第１、第２の実施の形態の場合に比べて大きな領域にて設けられている。これは既に説明した固定具５７に対応するためである。又、この金具接着部６３には貫通穴６９が形成されている。この貫通穴６９にはピン５３の他端が貫通されることになる。
【００２４】
上記粘着テープ６１の裏面側、すなわち、接着面には台紙７１が貼り付けられている。上記台紙７１は、上記金具接着部６３に貼り付けられた中央台紙部７２と、左右の耳部接着部６５、６７に接着された左右台紙部７３、７５とから構成されている。上記中央台紙部７２の上端には掴み代７４が突出・形成されている。又、上記左右台紙部７３、７５の下端にも掴み代７７、７９が突出・形成されている。
尚、図１６、図１７では、既に図示しない中央台紙部７４が剥がされているものである。
【００２５】
又、この第２の実施の形態の場合にも、図１４（ｂ）に示すように、前記第１の実施の形態の場合と同様に、粘着テープ６１の接着面側に切込部８２、８４が設けられている。これら切込部８２、８４を設ける理由は前期第１の実施の形態の場合と同様である。
【００２６】
以上の構成を基にその作用を説明する。
まず、図１６に示すように、中央台紙部７２を剥がす。そして、図１７に示すように、ピアス５１の固定具５７に貼り付ける。次に、ピアス５１のピン５３を耳部に穿孔された孔内に挿入する。そして、耳部より突出したピン５３の他端に粘着テープ６１が貼り付けられた固定具５７を装着して固定する。
【００２７】
後は、粘着テープ６１の左右の耳部接着部６５、６７に貼り付けられている左右台紙部７３、７５を剥がす作業を行う。すなわち、掴み代７７、７９を掴んで引っ張れば容易に剥がすことができる。左右台紙部７３、７５を剥がしたら耳部接着部６５、６７を耳部３に貼り付ける。以上の作業を行うことにより粘着テープ６１が耳部接着部６５、６７を介して耳部３の裏側に貼り付けられた状態になっており、それによって、ピアス５１の不用意な脱落は確実に防止されることになる。
【００２８】
したがって、このようなピアス５１の場合においても、前記第１、第２の実施の形態で説明したイヤリングの場合と同様の効果を奏することができる。
【００２９】
尚、本発明は前記第１、第２の実施の形態に限定されるものではない。
まず、粘着テープの形状に関しては、前記第１乃至第３の実施の形態に限定されるものではなく、様々な形状が想定される。
その他図示した構成はあくまで一例である。
【産業上の利用可能性】
【００３０】
本発明は、例えば、イヤリング、ピアス等の耳飾りが耳部から不用意に脱落することを防止するための耳飾り脱落防止部材に係り、特に、耳飾り側の構造に影響を与えることなく、使用し易く、既に市場に出回っているあらゆるものに対して適用でき、且つ、脱落を確実に防止することができるように工夫したものに関し、特に、イヤリングやピアス等の耳飾りの脱落防止に好適である。
【図面の簡単な説明】
【００３１】
【図１】本発明の第１の実施の形態を示す図で、耳飾り脱落防止部材の構成を示す平面図である。
【図２】本発明の第１の実施の形態を示す図で、図１のＩＩ−ＩＩ矢視図である。
【図３】本発明の第１の実施の形態を示す図で、図３（ａ）は耳飾り脱落防止部材の粘着テープの構成を示す平面図、図３（ｂ）は図３（ａ）のｂ−ｂ矢視図である。
【図４】本発明の第１の実施の形態を示す図で、耳飾り脱落防止部材の台紙の構成を示す平面図である。
【図５】本発明の第１の実施の形態を示す図で、耳飾り脱落防止部材を耳飾りとしてのイヤリングに取り付けて装着していく様子を順次示す斜視図である。
【図６】本発明の第１の実施の形態を示す図で、耳飾り脱落防止部材を耳飾りとしてのイヤリングに取り付けて装着していく様子を順次示す斜視図である。
【図７】本発明の第１の実施の形態を示す図で、耳飾り脱落防止部材を耳飾りとしてのイヤリングに取り付けて装着していく様子を順次示す斜視図である。
【図８】本発明の第１の実施の形態を示す図で、耳飾り脱落防止部材を耳飾りとしてのイヤリングに取り付けて装着していく様子を順次示す斜視図である。
【図９】本発明の第１の実施の形態を示す図で、耳飾り脱落防止部材を耳飾りとしてのイヤリングに取り付けて装着していく様子を順次示す斜視図である。
【図１０】本発明の第１の実施の形態を示す図で、耳飾り脱落防止部材を耳飾りとしてのイヤリングに取り付けて装着していく様子を順次示す斜視図である。
【図１１】本発明の第１の実施の形態を示す図で、耳飾り脱落防止部材を耳飾りとしてのイヤリングに取り付けて装着していく様子を順次示す斜視図である。
【図１２】本発明の第２の実施の形態を示す図で、耳飾り脱落防止部材の構成を示す平面図である。
【図１３】本発明の第２の実施の形態を示す図で、図１２のＸＩＩＩ−ＸＩＩＩ矢視図である。
【図１４】本発明の第２の実施の形態を示す図で、図１４（ａ）は耳飾り脱落防止部材の粘着シートの平面図、図１４（ｂ）は図１４（ａ）のｂ−ｂ矢視図である。
【図１５】本発明の第２の実施の形態を示す図で、耳飾り脱落防止部材の台紙の構成を示す平面図である。
【図１６】本発明の第２の実施の形態を示す図で、耳飾り脱落防止部材を耳飾りとしてのピアスに取り付けた状態を示す分解斜視図である。
【図１７】本発明の第２の実施の形態を示す図で、耳飾り脱落防止部材の構成を示す側面図である。
【図１８】本発明の第２の実施の形態を示す図で、耳飾り脱落防止部材を耳飾りとしてのイヤリングに取り付けた状態を示す斜視図である。
【符号の説明】
【００３２】
１  イヤリング
３  耳部
５  金具
７  装飾部
９  固定ねじ
１１  台座
１５  粘着テープ
１７  金具接着部
１９  耳部接着部
２１  耳部接着部
３１  台紙
３３  中央台紙部
３５  左台紙部
３７  右台紙部
３９  掴み代
４１  掴み代  
４３  掴み代  
４５  切込部
４７  切込部
５１  ピアス
５３  ピン
５５  装飾部
５７  固定具
６１  粘着テープ
６３  固定具接着部
６５  耳部接着部
６７  耳部接着部
６９  貫通孔
７１  台紙
７２  中央台紙部
７３  左台紙部
７５  右台紙部
７７  掴み代
７９  掴み代
７４  掴み代
８２  切込部
８４  切込部
【図１】
2006129904.tif 000003
【図２】
2006129904.tif 000004
【図３】
2006129904.tif 000005
【図４】
2006129904.tif 000006
【図５】
2006129904.tif 000007
【図６】
2006129904.tif 000008
【図７】
2006129904.tif 000009
【図８】
2006129904.tif 000010
【図９】
2006129904.tif 000011
【図１０】
2006129904.tif 000012
【図１１】
2006129904.tif 000013
【図１２】
2006129904.tif 000014
【図１３】
2006129904.tif 000015
【図１４】
2006129904.tif 000016
【図１５】
2006129904.tif 000017
【図１６】
2006129904.tif 000018
【図１７】
2006129904.tif 000019
【図１８】
2006129904.tif 000020